(57)【特許請求の範囲】
【請求項１】
一面に開口が形成された本体と、
前記本体の内部に収容されたファンと、
前記ファンを回転させるモーターと、
前記本体の開口を塞ぐ化粧パネルと、
前記化粧パネルを前記本体方向に引っ張って吊支持するバネと、
前記本体の内側に設けられて、前記バネが係止される係止部と、を備え、
前記化粧パネルは、
前記バネが取り付けられる取付部と、
本体取付け面側であって前記取付部よりも外周側に前記取付部に隣接して設けられて、前記本体に吊支持された状態で前記開口の縁部と相対して前記化粧パネルの引張方向への変形を規制する相対面が形成されるとともに前記開口の縁部に沿って延びるリブと、を有することを特徴とする換気扇。
【請求項２】
前記化粧パネルには、空気を通過させる通気用開口が形成され、
前記通気用開口には互いに平行に延びる複数の格子が形成され、
前記リブが周囲に設けられる前記取付部は、前記格子に対して前記格子の延びる方向に垂直な方向に設けられることを特徴とする請求項１に記載の換気扇。
【請求項３】
前記化粧パネルは樹脂によって形成されることを特徴とする請求項１または２に記載の換気扇。
【発明の詳細な説明】
【技術分野】
【０００１】
本発明は、化粧パネルおよび換気扇に関する。
【背景技術】
【０００２】
ダクト用換気扇に取り付ける化粧パネルの多くは材料に樹脂を使用している。化粧パネルは、例えば特許文献１に示すように、バネを用いてダクト用換気扇の本体への取付けが行われる。バネを用いる取付け構造により、さまざまな天井面に対して、化粧パネルを密着させて装着することが可能となっている。
【０００３】
本体への取付け後も化粧パネルにはバネの引っ張り荷重が加わり続けるため、高温場所での長期使用や、経年的な強度低下により、クリープ変形が発生して化粧パネルが湾曲した形状に変形する場合がある。湾曲することで、化粧パネルと天井面との間に隙間が生じ、意匠性が損なわれてしまう場合があった。
【０００４】
そのため、従来の化粧パネルでは、クリープ変形を抑制する手段として、化粧パネルの板厚を厚くし、化粧パネル自体に強度を持たせていた。
【先行技術文献】
【特許文献】
【０００５】
【特許文献１】特開平４-０１５４４０号公報
【発明の概要】
【発明が解決しようとする課題】
【０００６】
しかしながら、クリープ変形を抑制する手段として、化粧パネルの板厚を厚くして、化粧パネル自体に強度を持たせることで、材料増によるコストアップや、化粧パネルの質量増による施工性悪化の問題があった。
【０００７】
本発明は、上記に鑑みてなされたものであって、クリープ変形を抑制しつつ、コストの抑制や施工性の向上を図ることのできる化粧パネルを得ることを目的とする。
【課題を解決するための手段】
【０００８】
上述した課題を解決し、目的を達成するために、本発明は、換気扇の本体の一面に形成された開口を塞ぐように本体方向に引っ張られて吊支持される化粧パネルであって、化粧パネルの本体取付け面側に設けられて、本体に吊支持された状態で開口の縁部と相対して化粧パネルの引張方向への変形を規制する相対面が形成されたリブを有することを特徴とする。
【発明の効果】
【０００９】
本発明によれば、リブによって化粧パネルの板厚増加を抑えつつ、化粧パネルのクリープ変形を抑制することができる。また、化粧パネルの板圧増加を抑えることで、コストの抑制や施工性の向上を図ることができるという効果を奏する。
【００１０】
また、化粧パネルの板圧増加を抑えることで、化粧パネルの軽量化を図ることができる。これにより、化粧パネルを本体方向に引っ張るバネに要求される強度も低く抑えることができるので、より安価なバネを採用することが可能となり、材料費の抑制を図ることができる。
【図面の簡単な説明】
【００１１】
【図１】図１は、本発明の実施の形態１にかかるダクト用換気扇の概略構成を示す断面図である。
【図２】図２は、化粧パネルを本体取付け面側から見た外観斜視図である。
【図３】図３は、化粧パネルのバネの取り付け部分を拡大した部分拡大斜視図である。
【図４】図４は、ダクト用換気扇の部分拡大断面図であって、化粧パネルと天井面との関係を示す図である。
【図５】図５は、比較例としての従来のダクト用換気扇の部分拡大断面図であって、化粧パネルと天井面との関係を示す図である。
【発明を実施するための形態】
【００１２】
以下に、本発明の実施の形態にかかる化粧パネルおよびダクト用換気扇を図面に基づいて詳細に説明する。なお、この実施の形態によりこの発明が限定されるものではない。
【００１３】
実施の形態１．
図１は、本発明の実施の形態１にかかるダクト用換気扇の概略構成を示す断面図である。図２は、化粧パネルを本体取付け面側から見た外観斜視図である。図３は、化粧パネルのバネの取り付け部分を拡大した部分拡大斜視図である。図４は、ダクト用換気扇の部分拡大断面図であって、化粧パネルと天井面との関係を示す図である。
【００１４】
ダクト用換気扇１００は、換気する空気を流通させる換気駆動体である多翼式送風機１５と、この多翼式送風機１５を収納し、風路形成を目的とするファンケーシング２２とを有している。多翼式送風機１５は、モーター１６と、このモーター１６の駆動軸に差込結合されたファン１７とから構成されている。
【００１５】
ダクト用換気扇１００は、ボディ（本体）２１と、ダクト接続枠２３とを有する。ダクト接続枠２３は、ボディ２１の側部に設けられて、ボディ２１の側面から直角方向に延びた吐出口１２をダクト１３に連通する位置まで延長する段付きの構成となっている。
【００１６】
ダクト接続枠２３の外形は、径の異なる段状に形成されている、これは、配管するダクト１３の径が異なってもダクト接続枠２３に接続できることや、ダクト１３とダクト接続枠２３との隙間へのテーピングの作業性を考慮したものである。
【００１７】
ダクト接続枠２３内には、電動又は風圧にて開閉するシャッター２４が設けられている。シャッター２４はダクト用換気扇１００の運転時には風圧で開いてダクト接続枠２３を開放し、停止時にはシャッター２４の自重でダクト接続枠２３を閉鎖する。
【００１８】
このように、シャッター２４を設けることで、ダクト用換気扇１００の停止時に屋外からの外風が室内に侵入するのを防止することができる。ダクト１３は、屋外まで延びており建物の屋外外壁に備えたフードなどと連結し、住宅内の空気を換気する換気風路を形成している。
【００１９】
ボディ２１は、一面（設置状態における下面）を開口した箱型に形成されている。ボディ２１の開口側には、ボディ２１を天井にネジ固定するためのネジ穴が形成されたフランジ（縁部）４２が備えられる。
【００２０】
化粧パネル３１は、ファンケーシング２２に着脱可能に吊支持され、フランジ４２に覆いかぶさって、ボディ２１の開口を塞ぐように取り付けられる。化粧パネル３１は、ダクト用換気扇１００の意匠性の向上や、ファン１７への異物混入の防止を主な目的として設けられる。
【００２１】
化粧パネル３１は、その外周部分がボディ２１側に折り曲げられたように成形された立設部３１ｃとなっている。立設部３１ｃの上端、すなわち化粧パネル３１の外縁３１ａは、化粧パネル３１が取り付けられた状態で天井面に当接する。化粧パネル３１は、外縁３１ａより内側ではフランジ４２や天井面に当接しておらず、フランジ４２や天井面との間に空間が設けられる。
【００２２】
化粧パネル３１の多くは、樹脂製の一体成形のものが用いられる。化粧パネル３１は、捩りバネ４４でファンケーシング２２に吊支持されている。捩りバネ４４は、コイル４３からＶ字状に開いた二本の腕が延びるように形成され、コイル４３を挟んで対向する一対の捩りバネ４４として構成されている。
【００２３】
ファンケーシング２２には、フランジ４２の近傍となる位置に捩りバネ４４を係止する係止部２６が設けられている。捩りバネ４４は、係止部２６に係止されることで、化粧パネル３１に引っ張り力を付与することができる。
【００２４】
化粧パネル３１のボディ２１への取付け面側には、二列で一体の保持片（取付部）５０が突出するように４体(５０ａ〜５０ｄ)設けられている。４体(５０ａ〜５０ｄ)の保持片５０のうち相対する２体（５０ａと５０ｂ）のそれぞれの保持片５０とコイル４３に、固定ピン４５を挿通することにより捩りバネ４４は取り付けられている。
【００２５】
なお、固定ピン４５と捩りバネ４４を保持片５０から外し、捩りバネ４４を取り付ける保持片５０を他２体の保持片５０（５０ｃと５０ｄ）に変更することで化粧パネル取付け方向を９０度回転することができる。
【００２６】
本実施の形態の化粧パネル３１は、空気を通過させる通気用開口３１ｂが形成されている。化粧パネル３１は、通気用開口３１ｂに複数の格子４６が互いに平行に並べて形成されたデザインである。各格子４６は、図２の矢印Ａに示す方向に沿って延びるように形成されている。
【００２７】
化粧パネル３１には、格子４６に対して格子４６の延びる方向に対して垂直となる方向側に設けられている保持片（５０ａと５０ｂ）の横にリブ４７が設けられている。これにより、リブ４７は、化粧パネル３１の空気吸い込み面を挟んで対向するように１組設けられる。
【００２８】
ここで、格子４６に対して格子４６の延びる方向側の２体の保持片（５０ｃと５０ｄ）に捩りバネ４４が取り付けられた状態で、化粧パネル３１をボディ２１に取付けた場合には、格子４６の突っ張りにより、化粧パネル３１にクリープ変形が起こりにくい。そのため、上述したように保持片５０ａと保持片５０ｂの横にのみリブ４７を設けることが好ましい。
【００２９】
対向するリブ４７の外側面同士の間隔は、ボディ２１の開口幅よりも長くなっており、フランジ４２に相対する位置に設けられている。リブ４７は、約１ｍｍ程度の板厚で形成されており、フランジ４２と相対する相対面４７ａが形成されている。
【００３０】
図４に示すように、化粧パネル３１の通常の取付け状態では、リブ４７の相対面４７ａは、フランジ４２に対して約４ｍｍ程度の隙間が設けられるようになっている。この隙間は、化粧パネル３１の成形時における変形等があった場合、化粧パネル３１の外縁３１ａが天井面に接触する前にリブ４７がフランジ４２に接触すると、外縁３１ａと天井面との間に隙間が発生してしまう場合がある。そこで、外縁３１ａと天井面との間に隙間が発生するのを抑えるために、上述したリブ４７の相対面４７ａとフランジ４２との間に隙間が設けられる。
【００３１】
図５は、比較例としての従来のダクト用換気扇の部分拡大断面図であって、化粧パネルと天井面との関係を示す図である。化粧パネル１３１は、外縁１３１ａより内側では天井面やフランジ１４２と接触していないため、矢印Ｙに示す方向に引張力が加わると変形しやすい。また、従来のダクト用換気扇では、化粧パネル１３１にリブが形成されていないため、捩りバネ４４によって矢印Ｙに示す方向に引張力が加わる保持片５０の近傍でフランジ１４２との隙間が大きかった。
【００３２】
そのため、高温場所での長期使用や、経年的な強度低下により、捩りバネ４４の引張力に抗することができずに、保持片５０の近傍がボディ１２１側に入り込んだ場合、図５に示すように化粧パネル１３１にクリープ変形が生じてしまう場合があった。
【００３３】
一方、本実施の形態では、図４に示すように、外縁３１ａより内側ではフランジ４２に当接しておらず、フランジ４２との間に空間が設けられるものの、捩りバネ４４によって矢印Ｘに示す方向に引張力が加わって保持片５０の近傍がボディ２１側に入り込んでも、リブ４７の相対面４７ａがフランジ４２に当接することで、それ以上の変形が規制されるため、化粧パネル３１の変形が抑制される。
【００３４】
また、リブ４７を設けることで、化粧パネル３１の板厚を増さずに化粧パネル３１の変形を抑制することができるので、使用材料の増加を抑えて、コストの抑制を図ることができる。
【００３５】
また、使用材料の増加を抑えることで、化粧パネル３１の軽量化にもなるため、化粧パネル３１の着脱が容易となる。そのため、化粧パネル３１の施工性の向上を図ることができる。
【００３６】
また、化粧パネル３１の軽量化により、化粧パネル３１を吊支持するための捩りバネ４４に要求される引張力なども小さくなる。そのため、より安価なもの捩りバネ４４として採用することが可能となり、より一層のコストの抑制を図ることができる。
【００３７】
なお、ボディ２１を完全に天井内に納めてダクト用換気扇１００を設置した場合には、化粧パネル３１の外縁３１ａが天井面と接し、リブ４７の相対面４７ａと相対するのが天井面となる場合もある。この場合にも、天井面と相対面４７ａとの間に、フランジ４２と相対する場合と同様の隙間が設けられ、化粧パネル３１の変形を抑制することができる。
【産業上の利用可能性】
【００３８】
以上のように、本発明にかかる化粧パネルは、換気扇などの本体に吊支持される化粧パネルに有用であり、特に、捩りバネで吊支持される化粧パネルに適している。
【符号の説明】
【００３９】
１２  吐出口
１３  ダクト
１５  多翼式送風機
１６  モーター
１７  ファン
２１  ボディ（本体）
２２  ファンケーシング
２３  ダクト接続枠
２４  シャッター
２６  係止部
３１  化粧パネル
３１ａ  外縁
３１ｂ  通気用開口
３１ｃ  立設部
４２  フランジ（縁部）
４３  コイル
４４  捩りバネ
４５  固定ピン
４６  格子
４７  リブ
４７ａ  相対面
５０，５０ａ，５０ｂ，５０ｃ，５０ｄ  保持片
１００  ダクト用換気扇
１２１  ボディ
１３１  化粧パネル
１４２  フランジ
Ａ，Ｘ，Ｙ  矢印
【図１】
0005670833.tif 000002
【図２】
0005670833.tif 000003
【図３】
0005670833.tif 000004
【図４】
0005670833.tif 000005
【図５】
0005670833.tif 000006